Podtech/llm-jp-corpus-v4-ja_patent huggingface dataset:
(57)【要約】      （修正有）【課題】購入した人が必要に応じて様々な目的に使用することのできる汎用クロスを提供する。【解決手段】バスタオル、バスマット、足ふきマット、清掃布のいずれかに使用することを目的とし、マイクロファイバー生地１１，１２を２〜４枚重ねて縫製してなることを特徴とする汎用クロスである。この汎用クロスは、製造が容易であると共に、軽量で、タオル感覚で使用することができる。洗濯も容易で、毎日行うことができ、清潔を保つことができる。【選択図】図１
0003214121.tif 000002
【実用新案登録請求の範囲】
【請求項１】
マイクロファイバー生地を２〜４枚重ねて縫製してなることを特徴とする汎用クロス。
【請求項２】
用途が、バスタオル、バスマット、足ふきマット、清掃布のいずれかである請求項１記載の汎用クロス。
【考案の詳細な説明】
【技術分野】
【０００１】
本考案は、バスタオル、バスマット、足ふきマット、清掃布などさまざまな目的に使用することのできる汎用クロスに関する。
【背景技術】
【０００２】
バスマットや足ふきマットはさまざまな形状や構造のものが公知であり、市販もされている。例えば、バスマットでは特開２０１１―１５６０３７、足ふきマットでは実開平５−１３２８８などが知られている。
【先行技術文献】
【特許文献】
【０００３】
【特許文献１】特開２０１１―１５６０３７
【特許文献２】実開平５−１３２８８
【考案の概要】
【考案が解決しようとする課題】
【０００４】
上記公知のマット類は、最初から用途が特定されていて汎用性がない。本考案は購入した人が必要に応じてさまざまな目的に使用することのできる汎用クロスを提供することを目的とする。
【課題を解決するための手段】
【０００５】
上記課題を解決する本考案の汎用クロスは、マイクロファイバー生地を２〜４枚重ねて縫製してなることを特徴とする。
【考案の効果】
【０００６】
本考案は、生地を２〜４枚重ねて縫製しただけなので、製造が容易であると共に、軽量で、タオル感覚で使用することができる。洗濯も容易で、毎日行うことができ、清潔を保つことができる。
【０００７】
また、マイクロファイバー生地を使用しているので、吸水性・乾燥性に優れている。さらに、清掃目的にも使用可能であり、浴槽の汚れなど目についたときにすぐに拭き取ることができる。
【０００８】
以下、添付の図面に基づいて、本考案の１実施例を説明する。
【図面の簡単な説明】
【０００９】
【図１】本考案の実施例である汎用クロスの（ａ）平面図、（ｂ）側面図である。
【図２】（ａ）図１の矢示部分の拡大図、（ｂ）同拡大断面図である。
【考案を実施するための形態】
【００１０】
本考案は、マイクロファイバー生地を２〜４枚重ねて縫製してなる。１枚では生地が薄くて吸水性や耐久性に欠ける。５枚以上では、厚くなりすぎて速乾性に欠けると共に、パスタオルや清掃布としてはやや使いづらいからである。
【００１１】
マイクロファイバー生地としては、例えば、吸水速乾性に優れたソフィスタ（株式会社クラレ製：商標）、エアロタッシュ（東レ株式会社製：商標）や防菌防臭性及び消臭性に優れた繊維として一般に市販されているマイティートップ（帝人ファイバー株式会社製：商標）、デオメタフィ（大和紡績株式会社：商標）、ディスメル（東洋紡績株式会社製：商標）などがあげられる
【実施例１】
【００１２】
図１及び図２に図示する本考案の汎用クロス１は、足ふきマットである。マイクロファイバーの編み生地１１，１２を２枚重ねて、糸１３で閉じ縫いするとともに、周囲をパイピング１４縫製している。符号１５は、フックなどに取り付けるための、輪となった取付紐である。
【００１３】
マイクロファイバー生地１１，１２としては、吸水速乾性に優れたソフィスタ（株式会社クラレ製：商標）を使用している。
【００１４】
この足ふきマットは編み生地２枚のものであるから、軽量で折り畳みも容易であり、洗濯もタオル感覚で頻繁に行うことができる。さらに吸水速乾性に優れているので、裸足に快い感触を与える。
【符号の説明】
【００１５】
１     足ふきマット
１１，１２  マイクロファイバーの編み生地
１３   閉じ糸
１４   パイピング
１５   取付紐
【図１】
0003214121.tif 000003
【図２】
0003214121.tif 000004
(57)【要約】【課題】部品点数を増やすことなく、大きな電流にも耐え得る端子構造を有するＵＳＢコネクタを提供すること。【解決手段】本考案は、信号の送受信および／または電力の伝送を行う複数の端子１０，２０，３０，４０を有するＵＳＢコネクタ１において、端子１０，２０，３０，４０の少なくとも一つは３列の接触子１０ａ，１０ｂ，１０ｃ，２０ａ，２０ｂ，２０ｃにより構成されるものである。【選択図】図１
0003214114.tif 000002
【実用新案登録請求の範囲】
【請求項１】
信号の送受信および／または電力の伝送を行う複数の端子を有するＵＳＢコネクタにおいて、
前記端子の少なくとも一つは３列の接触子により構成される、
ことを特徴とするＵＳＢコネクタ。
【請求項２】
請求項１記載のＵＳＢコネクタにおいて、
前記接触子は、半円柱体である、
ことを特徴とするＵＳＢコネクタ。
【考案の詳細な説明】
【技術分野】
【０００１】
本考案は、ＵＳＢ(Universal Serial Bus)コネクタに関する。
【背景技術】
【０００２】
ＵＳＢは、コンピュータ等の情報機器に周辺機器を接続するためのシリアルバス規格の1つであり、コンピュータ等のＵＳＢポートに差し込まれるＵＳＢコネクタを介して情報機器に周辺機器が接続される。
【０００３】
ＵＳＢコネクタは、情報機器とその周辺機器との間における情報の送受信を中継するのみならず、携帯型の情報機器などに電力を供給するためにも使用される。このため、昨今では、３アンペアから５アンペアの比較的大きな電流に対しても使用可能であることが要求されている。したがって、ＵＳＢコネクタの端子構造はより大きな電流に耐え得るものが求められている。たとえば、特許文献１には、電力コンタクトの他に補助電力コンタクトを有するものが開示されている。
【先行技術文献】
【特許文献】
【０００４】
【特許文献１】特開２０１２−２０９２５５号公報
【考案の概要】
【考案が解決しようとする課題】
【０００５】
上述した特許文献１のＵＳＢコネクタは、電力コンタクトの他に補助電力コンタクトを有する。このため、ＵＳＢコネクタの部品点数が増えてしまい、コストと工数が増加する。
【０００６】
本考案は、このような背景の下に行われたものであって、部品点数を増やすことなく、大きな電流にも耐え得る端子構造を有するＵＳＢコネクタを提供することを目的とする。
【課題を解決するための手段】
【０００７】
本考案は、信号の送受信および／または電力の伝送を行う複数の端子を有するＵＳＢコネクタにおいて、端子の少なくとも一つは３列の接触子により構成されるものである。
【０００８】
上述のＵＳＢコネクタにおいて、接触子は、半円柱体であることができる。
【考案の効果】
【０００９】
本考案によれば、部品点数を増やすことなく、大きな電流にも耐え得る端子構造を有するＵＳＢコネクタを提供することができる。
【図面の簡単な説明】
【００１０】
【図１】本考案の実施の形態に係るＵＳＢコネクタの端子構造を説明するための図である。
【図２】図１のＵＳＢコネクタの端子構造の斜視図である。
【図３】本考案の実施の形態に係るＵＳＢコネクタの開口部から見た斜視図である。
【考案を実施するための形態】
【００１１】
本考案のＵＳＢコネクタ１は、図１〜図３に示すように、信号の送受信および／または電力の伝送を行う端子１０，２０，３０，４０を有し、端子１０，２０，３０，４０の少なくとも一つは、３列の接触子１０ａ，１０ｂ，１０ｃ，２０ａ，２０ｂ，２０ｃにより構成されるものである。ここでは、電力伝送に用いる端子１０，２０について、３列の接触子１０ａ，１０ｂ，１０ｃ，２０ａ，２０ｂ，２０ｃを有する。すなわち、端子１０，２０は、電力伝送に用いる端子であり、大きな電流容量を得るために、３列の接触子１０ａ，１０ｂ，１０ｃ，２０ａ，２０ｂ，２０ｃにより構成される。なお、端子３０，４０は、信号の送受信に用いる端子であり、大きな電流容量は必要としない。このため、端子３０，４０は、１列の接触子３０ａ，４０ａによって構成されている。端子１０，２０，３０，４０は基板５０上に配設される。基板５０からは端子１０，２０，３０，４０と接続される電線６０が引き出されている。さらに、図３に示すように、基板５０は、カバー７０によって覆われている。
【００１２】
このように、電力伝送に用いる端子１０，２０が３列の接触子１０ａ，１０ｂ，１０ｃ，２０ａ，２０ｂ，２０ｃにより構成されているので、不図示の相手側の接触子との接触面積が大きくなり、大きな電流容量を得ることができる。
【００１３】
また、端子１０，２０の３列の接触子１０ａ，１０ｂ，１０ｃ，２０ａ，２０ｂ，２０ｃは、プレス加工などによって一体的に形成することができる。これによれば、特許文献１のＵＳＢコネクタのように、２つの異なる部材（電力コンタクトと補助電力コンタクト）を用意する必要がなく、部品点数を増やすことなく、大きな電流にも耐え得る端子構造を有するＵＳＢコネクタ１を提供することができる。
【００１４】
さらに、ＵＳＢコネクタ１において、接触子１０ａ，１０ｂ，１０ｃ，２０ａ，２０ｂ，２０ｃ，３０ａ，４０ａは、半円柱体である。接触子１０ａ，１０ｂ，１０ｃ，２０ａ，２０ｂ，２０ｃ，３０ａ，４０ａが半円柱体であることにより、半円柱体の外壁の狭い面積で、不図示の相手側の接触子と接触する。これにより、接触子１０ａ，１０ｂ，１０ｃ，２０ａ，２０ｂ，２０ｃ，３０ａ，４０ａは、相手側の接触子と高い圧力で接触することができ、接触部分の電気抵抗を低くすることができる。このように、接触部分の電気抵抗を低くすることによっても端子１０，２０の電流容量を大きくすることができる。
【符号の説明】
【００１５】
１…ＵＳＢコネクタ、１０，２０，３０，４０…端子、１０ａ，１０ｂ，１０ｃ，２０ａ，２０ｂ，２０ｃ，３０ａ，４０ａ…接触子
【図１】
0003214114.tif 000003
【図２】
0003214114.tif 000004
【図３】
0003214114.tif 000005
(57)【要約】      （修正有）【課題】鍋の蓋を立て掛けたり横に差し込んだり調理し易く、水滴が鍋の中に入り、横に差し込んだ時も蓋が上向きとなり蓋の中に水滴が集まり、調理場を汚すことがない鍋の蓋置き器を提供する。【解決手段】棒状体と、棒状体の一端に鍋本体の縁を跨いで立て掛けて係合するための係合部３と、棒状体の他端に設けられ、鍋蓋のつまみ４を挟む挟み部１と、から成る。調理台付近の棚などに５ｃｍ四方の金具を取り付ければ横向きに差し込むことが出来る。【選択図】図３
0003214164.tif 000002
【実用新案登録請求の範囲】
【請求項１】
鍋蓋のつまみをアーム状の部分でつかみ、鍋の縁に立て掛ける鍋の蓋置き器。
【請求項２】
調理場付近の棚などに５ｃｍ四方の板状の金具を取り付け、蓋置き器の下の部分で横に差し込んで置ける鍋の蓋置き器。
【考案の詳細な説明】
【技術分野】
【０００１】  調理をしている時、蓋の置き場に困るので鍋本体の近くに置き場スペースを確保しながら、さらに内蓋についた水滴が調理台に垂れないように考案したものである。
【背景技術】
【０００２】  従来調理中鍋の蓋を置くところが狭く困っていた。又、蓋に露が付いて落ちて汚れないよう処理する必要があった。【０００３】  従来調理中の鍋についた水滴の落下問題と置く場所に困っていた。鍋の蓋のつまみを挟んで、鍋の縁に立て掛ける鍋の蓋置き器。鍋の蓋のつまみを挟んで調理台付近に金具を付け、横に差し込む鍋の蓋置き器。
【先行技術文献】
【特許文献】
【０００４】
【特許文献１】実用新案登録第３１１０９８８号
【考案の概要】
【考案が解決しようとする課題】
【０００５】  調理中の鍋蓋を取った後、熱い水滴も落ち、直ぐに置かないと火傷の心配や調理場が汚れるので困っていた。また、一度の調理に何回も蓋を開閉するのでストレスになっていた。
【課題を解決するための手段】
【０００６】  この蓋置き器は、つまみを挟む部分と蓋の重さや熱に耐えられる物で一つ目は鍋の縁に跨いで立て掛けることで蓋に付いた水滴が鍋の中に落ちる。二つ目は、調理台付近の棚などに５ｃｍ四方の金具を取り付ければ横向きに差し込むことが出来、蓋も上を向いているので水滴も蓋の中に溜まり調理場を汚すことがない。
【考案の効果】
【０００７】  鍋の蓋を立て掛けたり横に差し込んだり調理し易く、水滴も鍋の中に入る。横に差し込んだ時も蓋が上向きなので蓋の中に水滴が集まる。
【図面の簡単な説明】
【０００８】
【図１】  開閉作動するアーム状の１．２．とそれを立て掛ける３．で出来ている。
【図２】  側面図で立て掛ける所は、３．で内側に少しカーブしている。
【図３】  鍋の蓋置き器をセットして縁に立て掛けた状態。
【図４】  鍋の蓋置き器をセットして棚に付けた金属板に横向きに差し込んだ状態。
【図５】  鍋の蓋置き器をセットして蓋を乗せた状態。
【考案を実施するための形態】
【０００９】  図１は蓋置き器の斜視図で、蓋のつまみを挟むアーム状の部分１．２．と蓋を立てる３．の部分で、図２は蓋置き器の側面図、図３は蓋置き器を鍋の縁に立て掛けた状態、図４調理場付近の棚などに金具を付けて差し込んだ状態。図５は鍋のつまみにセットした状態です。
【実施例】
【００１０】  鍋つまみをつかむのに、２の取手を指で挟みアーム状の部分を開閉させ、つまみをつかみます図５これで完了、鍋の蓋を置く時は図３鍋の縁につまみを持って立て掛けるだけ。又は、図４調理台付近の棚などに金属板を付け横向きに差し込むことが出来ます。【００１１】  調理を行う時、水を入れた鍋に蓋をしガスコンロに火を入れ調理を始める、しばらくして水が沸騰したら鍋蓋を取り次の作業に入るのに蓋を置く場所がない。熱くても水滴も落ちるので困っていた。今回蓋置き器の金属やアルマイト系で出来た挟み状の図１−２部分を指で挟んでＵ字状の１を開閉させつまみ４と蓋５の間に挟み固定する図５−１．２．４これで準備完了。次につまみ４．だけ持って注意しながら熱いので鍋本体の縁に３を静かに跨ぐように立て掛けます図３−３、又は図４−３．６のように調理台付近の棚などに金属板を付け横向きに差し込むことが出来ます。次に鍋に具などを入れ、お玉でかき廻したりすることが出来ます。再び出来上がった料理を取り出す時もつまみ４だけを持って鍋の縁３−３あるいは棚に取り付けた金属板、図４−３．６に横に差し込むことが出来ます。横に差し込んだ時の状態は鍋本体が自由になり中身を全部外に流しだすことが出来、長時間の時は、有効です図３−３に立て掛けた時は中身を見たりかき混ぜたり短い時間に有効です。【００１２】  調理中簡単に何度でも繰り返すことが出来、水滴が付いた蓋の置き場に困らない。図４−５も蓋が上を向いているので比較的水滴が落ちない、調理が終了しガスコンロの火を消してから鍋を洗う時、  本発明器は付けたままでも特に問題は無し。取り外す時は蓋置き器、図５．２を指で挟み４のつまみから取り外す。外した蓋置き器は、小さいので調理場付近に置いたり掛けたりどこにでも置けて直ぐに使えます。取り外した鍋は今まで通り洗ってください。蓋置き器は一度セットすれば調理終了まで蓋のつまみ４以外触ることはありません。これから楽しい調理が出来、衛生的です。
【符号の説明】
【００１３】１  鍋のつまみを挟む所
２  １を動かす所
３  蓋を立て掛ける所
４  蓋つまみ
５  鍋蓋
６  金属板
７  棚
８  壁
【図１】
0003214164.tif 000003
【図２】
0003214164.tif 000004
【図３】
0003214164.tif 000005
【図４】
0003214164.tif 000006
【図５】
0003214164.tif 000007
【手続補正書】
【提出日】平成29年10月10日(2017.10.10)
【手続補正１】
【補正対象書類名】実用新案登録請求の範囲
【補正対象項目名】全文
【補正方法】変更
【補正の内容】
【実用新案登録請求の範囲】
【請求項１】
棒状体と、
該棒状体の一端に鍋本体の縁を跨いで係合するための係合部と、
前記棒状体の他端に設けられ、鍋蓋のつまみを挟む挟み部と、
から成ることを特徴とする鍋の蓋置き器。
(57)【要約】      （修正有）【課題】身体が硬い人が、効果的なストレッチをすることができる座椅子を提供する。【解決手段】座ったときに、前方に手で持つことができるグリップ３０を装着した座椅子１０であり、座って前方にあるグリップを持って引っ張ることにより、腹部を前に突き出す動きが容易になり、腰を立てた状態での前屈が容易になる。グリップは、位置を調節する調節器４０１、４０２を有し、かつ座椅子の背もたれ部分に３６０°回転可能に接続されたアーム２０１、２０２に取り付けられている。【選択図】図１
0003214173.tif 000002
【実用新案登録請求の範囲】
【請求項１】
座ったときに、前方に手で持つことができるグリップを装着した座椅子。
【考案の詳細な説明】
【技術分野】
【０００１】
本考案は、身体が硬い人用の効果的な前屈をサポートする座椅子に関するものである。
【考案の概要】
【考案が解決しようとする課題】
【０００２】
長座位体前屈または開脚前屈(以下、前屈と記す)をする際、股関節に近い部分および腰周りの筋肉を伸ばす効果的なストレッチをするには、腰を立てた状態で前屈を行う必要がある。
しかしながら、身体が硬い人は、前屈をする際に腰を立てることが困難で、背中を丸めた状態で前屈をすることとなり、効果的なストレッチをすることが難しい。
【課題を解決するための手段】
【０００３】
座ったときに、前方に手で持つことができるグリップを装着した座椅子に座る。
前方にあるグリップを持って引っ張ることにより、腹部を前に突き出す動きが容易になり、腰を立てた状態での前屈が容易になる。
【考案の効果】
【０００４】
腰を立てた状態で前屈ができるようになり、股関節に近い部分および腰周りの筋肉も伸ばす効果的なストレッチが可能となる。
【図面の簡単な説明】
【０００５】
【図１】座椅子10の背もたれ部分とアーム201および202は接続されており、360度回転できる。アーム201および202とグリップ30は、調節器401および402で接続されており、調節器401および402のロックを外すことでグリップ30の位置を調節できる。
【図１】
0003214173.tif 000003
(57)【要約】      （修正有）【課題】方法が確立していない変形天井の耐震改修に一定の基準ができ施工性、経済性を確保しながら、優れた耐震性を持つ天井下地構造材を提供する。【解決手段】建物の主要構造体の既設の梁に天井下地受鋼材１を設置しそれに調整機能を備えた天井下地枠組固定金具２を配置し、その固定金具２に天井下地枠組材８を配列固定し下部面に耐震野縁材１０を野縁固定ビス付きクリップ１１で固定する。これらにより、耐震性を有した天井下地組が形成される。【選択図】図１
0003214152.tif 000002
【実用新案登録請求の範囲】
【請求項１】
耐震構造の天井下地構造を実現化するために建物躯体の上部梁構造部と天井仕上げ材の間を小径鋼材を使用したトラス構造にて補強された天井下地枠組材を配置した耐震天井下地構造。
【請求項２】
建物躯体の上部梁構造と天井仕上げ材の間の天井下地枠組材を天井下地受鋼材を接続する金具。レベル調整機能と天井下地枠組材固定機能を一体として兼ね備えマイナス５０ミリからプラス５０ミリまで調整が可能な金具。
【考案の詳細な説明】
【技術分野】
【０００１】本考案は、体育館、劇場音楽ホール等、意匠や音響の効果ための変形な状態の天井の耐震改修の方法に関するものである。
【背景技術】
【０００２】従来の天井耐震改修方法は、平な天井を基準としており、変形天井に関しては確立された基準や方法がなく意匠や音響の効果を維持しながらの天井の耐震改修については、従来の平らな天井の耐震化で解決が困難で当考案と比較する技術は確立されていない。
【先行技術文献】
【特許文献】
【０００３】
【特許文献１】特開２０１３−１７７８０１
【特許文献２】特開２０１６−２１１１７７
【考案の概要】
【考案が解決しようとする課題】
【０００５】従来の吊りボルトでの施工では、角度や曲面のある天井面のための下地を作ることが困難で信頼できる裏付けが得られない。
【課題を解決するたはめの手段】
【０００６】本考案は従来ボルトで吊り下げていた天井下地部分をトラス構造に枠組みされた天井下地用枠組材を配置することにより複雑な形状の天井に耐震性を付加した天井下地構造を確保する。
【考案の効果】
【０００７】現状の形状を変えられない、文化財、劇場音楽ホールなどの複雑な形状の天井の耐震性を付加し施工性を早め、強度を確保することが行える。
【図面の簡単な説明】
【０００８】
【図１】本発明に係わる天井下地枠組材の取り付け図である。
【考案を実施するための形態】
【０００９】天井下地枠組固定金具を、建物躯体に取り付けられた天井下地受鋼材に取り付け、そこに天井下地枠組材を取り付ける。その天井下地枠組材は、事前の設計図面により天井の形、角度などを原寸で工場の定盤に墨出し、所定の寸法に２５ミリの角パイプを加工し、天井の形状や角度に合わせた天井下地枠組材を耐震の要求により、天井下地枠組みにトラス補強を入れ製作。
その天井下地枠組材を９００間隔に配置し耐震野縁を３００間隔に直交配置しビス付きクリップにて取り付ける。
【実施例】
【００１０】以下、添付図面に従って実施例を説明する。１は天井下地受鋼材、建物の梁に取り付ける天井下地枠組を固定するための鋼材２は天井下地枠組材固定金具、１と８をレベル調整し固定する金具３は１と８をレベル調整するためのボルト４はベル調整ハンンガー２と８をレベル調整し仮設置するもの５は天井下地枠組材固定用ボルト２と８を固定するボルト６は天井下地枠組材固定用アングル２と８を調整幅をもって固定する部材７は天井下地枠組材固定用ビス６と８を固定する８は天井下地枠組材天井の形状の応じ原寸にて事前に製作しておく部材９は小径角パイプ固定プレート８を構成する小径角パイプを連結固定するもの１０は耐震野縁天面を形成するために必要で１１の野縁固定ビス付きクリップにて８に固定される。
【産業上の利用可能性】
【００１１】特に現状の形を残さなければならない文化財建築物の天井の耐震化。音響のシステムが確立している音楽ホールなどの耐震改修、特に形状を耐震改修前と変更できない建築物の天井において、耐震性、施工性、経済性を確保できる。
【符号の説明】
【００１２】  １・・・天井下地受鋼材
２・・・天井下地枠組材固定金具
３・・・吊りボルト
４・・・レベル調整ハンガー
５・・・天井下地枠組材固定用ボルト
６・・・天井下地枠組材固定用アングル
７・・・天井下地枠組材固定用ビス
８・・・天井下地枠組材
９・・・小径角パイプ固定プレート
１０・・・耐震野縁
１１・・・野縁固定ビス付きクリップ
【図１】
0003214152.tif 000003
【手続補正書】
【提出日】平成29年6月28日(2017.6.28)
【手続補正１】
【補正対象書類名】実用新案登録請求の範囲
【補正対象項目名】全文
【補正方法】変更
【補正の内容】
【実用新案登録請求の範囲】
【請求項１】
建物躯体の上部梁構造部と天井仕上げの間に小径鋼材使用のトラス構造にて補強された天井下地枠組材が配置されてなる耐震天井下地構造。
【請求項２】
建物躯体の上部梁構造部と天井下地枠組み材を固定接続する金具でレベル調整機能と固定機能を一体化して兼ね備えマイナス５０ミリからプラス５０ミリまで調整可能な金具。
【手続補正書】
【提出日】平成29年9月20日(2017.9.20)
【手続補正１】
【補正対象書類名】実用新案登録請求の範囲
【補正対象項目名】請求項２
【補正方法】変更
【補正の内容】
【請求項２】
建物躯体の上部梁構造部と天井下地枠組材をレベル調整機能と固定機能を兼ね備えた金具を有することを特徴とした請求項１に記載の耐震天井下地構造。
(57)【要約】      （修正有）【課題】嗜好品としての価値を付与し、かつ、内容物の脱落を防止するキャラクター型クリアファイルを提供する。【解決手段】薄手のフィルムシート材料を使用して作成するクリアファイルの一端をトムソン加工で任意のキャラクターの顔、または全身の二分の一から三分の二の範囲でシルエット形状に打ち抜き、かつトムソン加工により前出の任意のキャラクターの顔や全身のシルエット始点に折加工を施すことで、クリアファイルの蓋部として機能する。【選択図】図３
0003214156.tif 000002
【実用新案登録請求の範囲】
【請求項１】
薄手のフィルムシート材料を使用して作成するクリアファイルの一端をトムソン加工で任意のキャラクターの顔、または全身の二分の一から三分の二の範囲でシルエット形状に打ち抜き、かつトムソン加工により前出の任意のキャラクターの顔や全身のシルエット始点に折加工を施すことで、該部分がクリアファイルの蓋部として機能することを特徴とするキャラクター型クリアファイル
【請求項２】
前述のフィルムシートにトムソン加工で施された任意のキャラクターの顔、または全身の二分の一から三分の二の範囲でシルエット形状に打ち抜かれ、かつトムソン加工によりシルエット始点に折加工を施されたシルエット形状中に施された差し込みタブを、同フィルムシートに対になるように施されたスリットに嵌合することで、蓋として機能する該部分を固定することを特徴とする請求項１に記載のキャラクター型クリアファイル
【請求項３】
前記のフィルムシート材料に対する印刷は、インクジェット印刷ならびにオフセット印刷を用いてアニメキャラクター、地方自治体マスコット、法人のキャラクター、著名な絵画作品の図案を印刷した請求項１に記載のキャラクター型クリアファイル
【考案の詳細な説明】
【考案の詳細な説明】
【技術分野】
【０００１】本考案は主として、フイルムシート材料に対して多目的に使用できる利便性の高いノベルティー商品に関する。【０００２】従来のクリアファイルは、形状が画一でクリアファイルとしてだけの使用方法しかなかったため、使用後はそのまま廃棄されていた。【０００３】従来のクリアファイルは多目的の利用ができず、書類等を挟むクリアファイル以外の利便性がなかった。【０００４】  キャラクター型クリアファイルの材料シートの素材を再生樹脂材料もしくはトウモロコシ等から製造されるＰＬＡ《ポリ乳酸》を主原料としたプラスチック材料を使用して環境に配慮した商品として作成することができる。
【考案実施の形態】
【０００５】図１は本考案のキャラクター型クリアファイル（１）の完成図である。図１でキャラクター型クリアファイル（１）の左辺（ａ）は山折になっており、底辺（ｂ）（ｃ）は圧着されている。そのため左辺（ａ）と底辺（ｂ）（ｃ）は閉じた状態になっている。上辺（ｄ）（ｅ）と右辺（ｆ）は開口しているため、ここから書類等を出し入れすることができる。また任意のキャラクターの半身のシルエット状である（Ｕ）は折線（ｇ）によりキャラクター型クリアファイル（１）の蓋として機能し、キャラクター型クリアファイル（１）に施されたスリット（Ｓ）により固定することが出来る状態である。
【０００６】図２は本考案の衣服型クリアファイル（１）の展開図である。図２でキャラクター型クリアファイル（１）の左辺（ａ）と折り線（ｇ）によって現れる面と、左辺（ａ）と右辺（ｆ）によって現れる面によってクリアファイルが構成されている。底辺（ｂ）（ｃ）は圧着されることで上辺（ｄ）（ｅ）と右辺（ｆ）を開口部とするクリアファイルが出来る。またこのとき、折線（ｇ）によって該物品の端部に配置されている任意のキャラクターの半身のシルエット状である（Ｕ）はキャラクター型クリアファイル（１）の蓋として機能している。またキャラクター型クリアファイル（１）にほどこされたスリット（Ｓ）により固定することが出来る。
【０００７】図３は本考案のキャラクター型クリアファイル（１）の視図である。図３で底辺（ｂ）（ｃ）が圧着されることで上辺（ｄ）（ｅ）と右辺（ｆ）を開口部とするクリアファイルの状態であり、折線（ｇ）によって該物品の端部に配置されている任意のキャラクターの半身のシルエット状である（Ｕ）はこのとき左辺（ａ）と折り線（ｇ）によって現れる面に施された図案と連続することで任意のキャラクターの全身図案を表現している状態である。
【考案の効果】
【０００８】本考案は、クリアファイルとして利用でき、更に任意キャラクターの半身のシルエット部はクリアファイルの蓋部としても機能するので、形状のアピールと共に実用性を兼ね備えた考案である。
【図面の簡単な説明】
【図１】本考案のキャラクター型クリアファイル視図。
【図２】図１のキャラクター型クリアファイルを展開した際の視図。
【図３】図１のキャラクター型クリアファイルの正面図。
【符号の説明】１  キャラクター型
ａ  左辺
ｂ  下辺
ｃ  下辺
ｄ  上辺
ｅ  上辺
ｆ  右辺
ｇ  折線
Ｓ  スリット
Ｕ  任意のキャラクターの半身のシルエット部
【図１】
0003214156.tif 000003
【図２】
0003214156.tif 000004
【図３】
0003214156.tif 000005
【手続補正書】
【提出日】平成29年10月12日(2017.10.12)
【手続補正１】
【補正対象書類名】実用新案登録請求の範囲
【補正対象項目名】全文
【補正方法】変更
【補正の内容】
【実用新案登録請求の範囲】
【請求項１】
薄手のフィルムシート材料を使用して作成するクリアファイルの一端をトムソン加工で任意のキャラクターの顔、または全身の二分の一から三分の二の範囲でシルエット形状に打ち抜き、かつトムソン加工により前出の任意のキャラクターの顔や全身のシルエット始点に折加工を施すことでクリアファイルの蓋部として機能することを特徴とするキャラクター型クリアファイル。
【請求項２】
前述のフィルムシートにトムソン加工で施された任意のキャラクターの顔、または全身の二分の一から三分の二の範囲でシルエット形状に打ち抜かれ、かつトムソン加工によりシルエット始点に折加工を施されたシルエット形状中に施された差し込みタブを、同フィルムシートに対になるように施されたスリットに嵌合することで、蓋として機能する部分を固定することを特徴とする請求項１に記載のキャラクター型クリアファイル。
【請求項３】
前記のフィルムシート材料に対する印刷は、インクジェット印刷またはオフセット印刷を用いてアニメキャラクター、地方自治体マスコット、法人のキャラクターまたは著名な絵画作品の図案を印刷した請求項１に記載のキャラクター型クリアファイル。
(57)【要約】      （修正有）【課題】空気の漏れないバンバンスティックを提供する。【解決手段】ポリエチレンフイルムを２枚重ね合わせて形成したバンバンスティック１であって、ポリエチレンシート部２に熱溶着シール部３、逆止弁４を設ける。シート部に空気層が形成され、逆止弁から空気を入れて使用する。【選択図】図１
0003214154.tif 000002
【実用新案登録請求の範囲】
【考案の詳細な説明】
【技術分野】
【０００１】  本考案は、応援グッズとして用いられるスティック式バルーンに関するものである。
【背景技術】
【０００２】  各種運動競技、コンサート、テレビ観戦等で空気により膨らませたバンバンスティックを２本のバンバンスティックを叩いて使用したり、１本のバンバンスティックを振ったりして使用し、多人数で応援するグッズとして広く浸透している。
【先行技術文献】
【０００３】
【特許文献１】特開平５−３１２６０号公報
【特許文献２】特開平９−２８５６４８号公報
【特許文献３】特開２００１−３０９９６号公報
【特許文献４】特開２００６−５１０５３号公報
【特許文献５】特開２００９−２８１５６５号公報
【考案の概要】
【考案が解決しようとする課題】
【０００４】  解決しようとする課題は、ポリエチレンフイルムを使用し、フイルムを２枚に重ね合わせたフイルムの表面を熱で溶かし溶着させる事で空気の入る層を形成し、重ね合わせたフイルムの一部に逆止弁を熱溶着させる事により、空気の漏れないバンバンスティックを提供する。
【課題を解決するための手段】
【０００５】  本考案は、バンバンスティック１において、シート部２にシール部３、逆止弁４を設けたバンバンスティックを提供する。
【考案の効果】
【０００６】  以上説明した様に本考案によればエアーを注入することによりバンバンスティックとしての形状が形成されバンバンスティックを２本で叩くことにより、応援グッズとして音をたてて使用するバンバンスティックを提供することが可能である。
【考案を実施するための最良の形態】
【０００７】  以上説明した様に本考案によれば、バンバンスティック１において、シート部２にシール部３、逆止弁４を設ける事により、シート部２に空気層が形成され、シート部２に逆止弁４を設け、逆止弁４から空気を入れる事により空気の漏れないバンバンスティックを提供する事が可能である。
【図面の簡単な説明】
【考案を実施するための形態】
【０００８】  以下、図面を用いて本発明の実施の形態を説明する。バンバンスティック１において、シート部２にシール部３、逆止弁４を設ける事により、シート部２に空気層が形成され、シート部２に逆止弁４を設ける事により逆止弁４から空気を入れる事により空気の漏れないバンバンスティックを提供する。
【０００９】  図１は、本考案の表面図を表したものである。本考案は、２枚に重ね合わせた、ポリエチレンのシートに熱を加えてシール加工することにより空気層が形成され、形成した空気層に空気を注入することにより、膨らんだ応援棒が形成され、膨らんだ応援棒２本を双方で叩くことにより、音が発生しバンバンスティックとして使用することが可能になった。
【図面の簡単な説明】
【００１０】
【図１】  本考案の表面図である。
【図２】  本考案の斜視図を表した説明図である。
【符号の説明】
【００１１】    １  バンバンスティック
２  シート部
３  シール部
４  逆止弁
【図１】
0003214154.tif 000003
【図２】
0003214154.tif 000004
【手続補正書】
【提出日】平成29年10月3日(2017.10.3)
【手続補正１】
【補正対象書類名】実用新案登録請求の範囲
【補正対象項目名】全文
【補正方法】変更
【補正の内容】
【実用新案登録請求の範囲】
【請求項１】
バンバンスティック１において、シート部２にシール部３、逆止弁４を設ける事により、シート部２に空気層が形成され、シート部２に逆止弁４を設ける事により逆止弁４から空気を入れる事により空気の漏れないバンバンスティックを提供する。
(57)【要約】      （修正有）【課題】刈払機のエンジン排気口に取りつけて、農作業中、排煙（排ガス）を吸い込むことなく作業に集中出来るようにする排気筒を提供する。【解決手段】刈払機本体排気口に、上方開口を有する排気筒１を接続し、排煙（排ガス）を頭上に逃がす。【選択図】図１
0003214157.tif 000002
【実用新案登録請求の範囲】
【請求項１】
刈払機のエンジン排気口部分に、当該、排気筒を接続し、排煙（排ガス）を頭上に逃がす装置。
【考案の詳細な説明】
【技術分野】
【０００１】  本考案は、刈払機のエンジン排気口に、排煙（排ガス）を頭上に逃がす為の筒を設けたものである。
【背景技術】
【０００２】  農作業にて刈払機を使用中、マフラーの位置が顔の近くにあり、排煙（排ガス）を直接吸い込んでいた。
【考案の概要】
【考案が解決しようとする課題】
【０００３】  刈払機の排気口の位置は、作業中、排煙（排ガス）を直接吸い込むような設計になっており、マスクでは防ぐことの出来ない排煙（排ガス）を吸い込んでしまうという欠点を解決しようとする為のものである。
【課題を解決するための手段】
【０００４】  本考案は、エンジン排気口に排煙筒を接続し、作業中の排煙（排ガス）を全て頭上に逃がし、吸い込むことのないよう問題点を解決している。
【考案の効果】
【０００５】  上述のように、排煙（排ガス）を吸い込むことなく、作業に集中出来る。
【図面の簡単な説明】
【０００６】
【図１】  図１は左側から見た斜視図である。
【図１】
0003214157.tif 000003
【手続補正書】
【提出日】平成29年10月5日(2017.10.5)
【手続補正１】
【補正対象書類名】実用新案登録請求の範囲
【補正対象項目名】全文
【補正方法】変更
【補正の内容】
【実用新案登録請求の範囲】
【請求項１】
刈払機のエンジン排気口部分に接続し、排煙（排ガス）を頭上に逃がすことを特徴とする排気筒。
(57)【要約】      （修正有）【課題】容易に撤去可能な柱状改良体を提供する。【解決手段】柱状改良体１０は、地中を撹拌しつつセメント系固化剤を混入して形成する柱体の内部に、略Ｕ字型の鉄筋１２をＵ字の底部が外部に突出する形状で配設して構成した。また、上記の柱状改良体１０において、略Ｕ字型の鉄筋１２を複数本配設した。【選択図】図１
0003210800.tif 000002
【実用新案登録請求の範囲】
【請求項１】
地中を撹拌しつつセメント系固化剤を混入して形成する柱体の内部に、略Ｕ字型の鉄筋をＵ字の底部が外部に突出する形状で配設した柱状改良体。
【請求項２】
鉄筋を複数本配設した請求項１に記載の柱状改良体。
【考案の詳細な説明】
【技術分野】
【０００１】
本考案は軟弱な地盤の改良に用いられる柱状改良体に関する。
【背景技術】
【０００２】
比較的軟弱な地盤やバランスの悪い地盤を効果的に補強する工法として、柱状改良工法と呼ばれるものがある。この柱状改良工法は、まず、図３に示す掘削撹拌機１の先端からセメントミルクを注入しながら軟弱地盤Ａの下層にある比較的硬い良好地盤Ｂまで回転掘削する。次いで、図４に示すように、掘削攪拌機１を逆回転させながら引き抜き、引き抜いた後に、硬化した柱状体２が形成されるというものである。柱状体と柱状体の周囲の土による摩擦力も加わることで建物の荷重を支える構造になっている。
【０００３】
かかる柱状改良工法の先行発明としては、例えば、特許文献１には、中空軸の先端に掘削翼を横向きに突設し、その上方の先端部外周の周囲に縦攪拌翼を設けた回転翼軸をその軸心回りに回転駆動可能に横向きに突設し、さらに先端部外周に横攪拌翼を横向きに突設し、先端部付近に地盤硬化材の吐出口を設けてなる地盤改良用ボーリングロッドが開示されている。
【０００４】
また、特許文献２には、中空回転軸（１）の先端部に、該中空回転軸（１）とともに回転する掘削翼（２）を有し、その上部に前記中空回転軸（１）とともに回転する攪拌翼（３）を有し、前記中空回転軸（１）の中空部から土質改良材を供給し、前記中空回転軸の先端部などに設けた土質改良材吐出口（４）から、前記土質改良材を吐出させ、掘削土と土質改良材とを攪拌混練し、固化させ、柱状の地盤改良柱を形成させて、軟弱地盤を改良させる地盤改良装置において、前記掘削翼（２）の上方の前記中空回転軸（１）に、横材（５）を回転自在に支持し、該横材（５）の両端に、内側に湾曲した円弧状の縦材（６）を固定し、該円弧状の縦材（６）の上部は、常に地表面から適宜長さ突出し、かつ前記円弧状の縦材（６）間の外巾（Ａ）が、前記掘削翼（３）の巾（Ｂ）とほぼ同じである地盤改良装置が開示されている。
【先行技術文献】
【特許文献】
【０００５】
【特許文献１】特開平８−１３４７３号公報
【特許文献２】特開平１０−９６２３０号公報
【考案の概要】
【考案が解決しようとする課題】
【０００６】
上記のようにして形成される柱状体は、地上構造物を支持するに足る鉛直支持力を得るため、複数列状に多数本が埋設される。柱状改良工法は上記の通り掘削撹拌機を用いて行うものであるが、比較的大型の土木機械である掘削撹拌機を用い、大量のセメントを用いる柱状改良工法は、費用の面で高価になりがちである。
【０００７】
そこで本考案は、少ない本数の柱状体であっても、地上構造物を支持するに足る鉛直支持力を得ることが可能な柱状改良体を提供することを目的とする。
【０００８】
また、柱状改良工法によれば、柱状体は強固に地盤に埋設されることになる。構造物を支える基礎としては好ましいが、撤去する際にはこの強固さゆえに、その作業が困難なものとなりがちである。しかも、経年に伴い柱状体を構成するセメントから六価クロムが発生する可能性があり、基礎としての役目が終われば、速やかに撤去する必要がある。
【０００９】
そこで本考案は容易に撤去可能な柱状改良体を提供することもその目的とする。
【課題を解決するための手段】
【００１０】
上記の目的を達成する本考案の構成は次の通りである。
【００１１】
（１）  請求項１に記載の考案は、地中を撹拌しつつセメント系固化剤を混入して形成する柱体の内部に、略Ｕ字型の鉄筋をＵ字の底部が外部に突出する形状で配設して構成した。
【００１２】
（２）  請求項２に記載の考案は、請求項１記載の柱状改良体において、略Ｕ字型の鉄筋を複数本配設した。
【考案の効果】
【００１３】
上記のように構成される本考案が、如何に作用して課題を解決するかを図面を参照しながら概説する。
【００１４】
本考案にかかる柱状改良体１０は、図１や図２に示すように杭本体１１の内部に鉄筋１２が配設されている。かように鉄筋１２が内蔵されることから、当然強度が増す。したがって地上構造物を支持するに足る鉛直支持力を得るための必要本数が、鉄筋を内蔵しない場合に比べ減ることになる。すなわち費用を抑制することが可能となるのである。
【００１５】
また、鉄筋１２のＵ字の底部１２ａが、杭本体１１の外部に突出していることから、柱状改良体１０を撤去する際に、この外部に突出している底部１２ａにフックなどを引掛け、油圧ショベル等の解体重機で引き抜くことが可能となる。すなわち、本考案にかかる柱状改良体は、容易に撤去することが可能となるのである。
【図面の簡単な説明】
【００１６】
【図１】請求項１記載の考案の斜視図
【図２】請求項２記載の考案の斜視図
【図３】従来工法の説明図
【図４】従来工法の説明図
【考案を実施するための形態】
【００１７】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１８】
本考案にかかる柱状改良体１０の構築方法は、地中を撹拌しつつセメント系固化剤を混入して柱状の改良部分を構築し、改良部分が硬化する以前に、改良部分内に、略Ｕ字型の鉄筋１２を挿入して形成するものである。
【００１９】
より具体的には、まず、地中を撹拌翼やジェットの噴射によって撹拌しつつ、セメント系固化剤を地中に混入して柱状の改良部分を構築する。この方法は深層撹拌工法など、各種の特徴のある工法が開発されており、いずれの方法でも採用することができる。固化剤の使用量によるが、通常は柱状の改良部分は硬化前には半流動状態の緩い性状を呈している。
【００２０】
上記のようにして半流動体の状態の柱状の改良部分を構築したら、改良部分が硬化する以前に、その内部に略Ｕ字型の鉄筋１２を挿入する。挿入は押し込みによって行うことができる。略Ｕ字型の鉄筋１２は、Ｕ字の底部１２ａが改良部分の頭部から、外部に突出するように配設される。改良部分が硬化すると杭本体１１に成るものである。
【００２１】
鉄筋１２の配設方本数は、図１に示すように一本でも良いし、図２に示すように二本でも、更には三本以上でも構わない。
【符号の説明】
【００２２】
１０・・柱状改良体
１１・・杭本体
１２・・鉄筋
１２ａ・・底部
【図１】
0003210800.tif 000003
【図２】
0003210800.tif 000004
【図３】
0003210800.tif 000005
【図４】
0003210800.tif 000006
(57)【要約】      （修正有）【課題】着付けの手順と被装者への負担を増すことが無く、装飾性に優れた簡易着脱式帯揚げを提供する。【解決手段】既製の帯揚げ布１、２において、長さが二分の一の二反を一対とし、一対のそれぞれ一端に、帯枕を包む為の布の柔軟性に適合する素材を用いた留め具３、４を備え、二反を着脱ないし脱着を可能にするという構造を具備する事により、着付けの手順は従来の通りであり、着装時の嵩張りと圧迫感や動き難さなどの心身への負担も増すことが無く、配色の組み合わせが多様化し、帯揚げ二本を用いた場合と似かよう高い装飾性を持たせることが実現化できる。【選択図】図２
0003210791.tif 000002
【実用新案登録請求の範囲】
【請求項１】
帯揚げ布二反一対のそれぞれ一端に、その柔軟性に適合する素材を用いた留め具を備え、二反を着脱ないし脱着を可能にするという構成を具備した簡易着脱式帯揚げ。
【考案の詳細な説明】
【技術分野】
【０００１】
この考案は、わが国伝統の民族衣装である和服の帯揚げに関するものである。
【背景技術】
【０００２】
従来、帯揚げは帯解の儀を迎えた女性もしくは女形の役者が和服を着る際の帯を支える為の小道具の一種であり、帯枕を包む布を指す。着装時に、着物と帯の間に帯揚げが見えることにより、装飾性を兼ねている。通常は一人につき一本の帯揚げを用いて、その機能としての役割は果たしているが、近年では装飾性が飛躍的に進歩し続けている為に、振袖などの場合は、一人につき二本の帯揚げを用いることが稀にある。
【考案の概要】
【考案が解決しようとする課題】
【０００３】
一人につき一本の帯揚げを使用した場合よりも、二本用いた方が、装飾性がより一層高まる事は一目瞭然であるが、その着付けには、手順が増える為に時間を費やすことを余儀なくされ、並びに美しく見せる為の高度な技術が必要である。更に、被装者にとって小道具の数が増えることは、重量が増え嵩張る為に、着装時の圧迫感や動き難さなどの心身への負担が増す欠点がある。
【課題を解決するための手段】
【０００４】
本考案は、既製の帯揚げ布において、長さが二分の一の二反を一対とし、一対のそれぞれ一端に、帯枕を包む為の布の柔軟性に適合する素材を用いた留め具を備え、二反を着脱ないし脱着を可能にするという構造を具備することで、上記課題を解決するものである。
【考案の効果】
【０００５】
本考案に係る簡易着脱式帯揚げは、帯枕を包む機能と着装時の身体背面部に密着させた時の着け心地を考慮した為に、帯揚げ布二反一対のそれぞれ一端に、その柔軟性に適合する素材を用いた留め具を備える手段を採用している。前記述の方法を用いることにより、着付けの手順は従来の通りであり、着装時の嵩張りと圧迫感や動き難さなどの心身への負担も増すことが無く、配色の組み合わせが多様化し、帯揚げ二本を用いた場合と似かよう高い装飾性を持たせることが実現化できる。
【図面の簡単な説明】
【０００６】
【図１】本考案に係わる簡易的着脱式帯揚げの製造における工程図である。
【図２】本考案に係わる簡易的着脱式帯揚げの正面図である。
【考案を実施するための形態】
【０００７】
図１に示すように、１の帯揚げ布Aの一端に、その柔軟性に適合する素材を用いた２の留め具Aを、縫合等の最も適した方法で備える。前記述と同様に、２の帯揚げ布Bの一端に、４の留め具Bを備える。
【０００８】
図２に示すように、留め具により、長さが二分の一の帯揚げ布二反が着脱ないし脱着が可能な一対となり、従来の帯揚げと同様の機能を持たせながら装飾性を高める事が可能になる。
【符号の説明】
【０００９】
１  帯揚げ布A
２  帯揚げ布B
３  留め具A
４  留め具B
【図１】
0003210791.tif 000003
【図２】
0003210791.tif 000004
(57)【要約】      （修正有）【課題】どのような高さの波がきても、浮力を小さく抑えて、ボードの先端が浮き上がらずに、若干沈み込ませることでボードの安定性を達成するウインドサーフィンボードを提供する。【解決手段】ボード１の先端３の曲がり部分にＶ字型の切り込み４を形成する。該ボードの先端に形成されたＶ字型切込みは波に突き刺さり、波の流れを上面側と下面側に分断せしめる構造となっている。ボードは湾曲しているため上面側の水の流れより下面側の水の流れが速くなり、結果、流速差分の静圧差でボードを沈めようとする沈下力が発生する。該沈下力の作用で、高い波がきてもボードが浮き上がらず、安定した帆走が可能となる構成となっている。【選択図】図２
0003210719.tif 000002
【実用新案登録請求の範囲】
【請求項１】
ボードの先端にＶ字型の切り込みを形成したことを特徴とするウインドサーフィンボード。
【考案の詳細な説明】
【技術分野】
【０００１】
本考案は、ウィンドサーフィンのボードの形状に関するものである。
【背景技術】
【０００２】
ウインドサーフィンでは、限られた風力で帆走距離を伸ばすことが要求されるが、波が高い場合には、波の抵抗が大きくなり、ボードが浮き易くなり、ボードの先端が上がり、帆走距離が落ちることが知られている。
【０００３】
帆走距離を伸ばすためボード先端の曲げ角度を改善したり、波の抵抗を少なくする材料の使用、テールに翼をつけたり、ボードを分割して、安定した帆走ができる工夫がなされてきた。
【０００４】
しかしながら、波の高さは天候などで変化し易く、特に、波が高い状態では、ボードの浮力が大きくなり、転倒する場合もあり、全ての波の高さに対応した安定性を維持することが困難であった。波の高さに影響されず、常に安定した帆走距離の確保と安全な帆走が可能なウインドサーフィンが望まれる。
【先行技術文献】
【特許文献】
【０００５】
【特許文献１】特開平１１−１７１０８７
【特許文献２】特願平４−３５７４４
【考案の概要】
【考案が解決しようとする課題】
【０００６】
どのような高さの波がきても、浮力を小さく抑えて、ボードの先端が浮き上がらずに、若干沈み込ませることでボードの安定性を達成する。
【課題を解決するための手段】
【０００７】
上記課題を達成するため、ボードの先端の曲がり部分にＶ字型の切り込みを形成する。
【考案の効果】
【０００８】
ボードの先端に形成されたＶ字型の切り込みにより、ボードが波の上に乗ることがなく、波を突き刺して状態となり、ボードの上下面に水の流れが発生する。ボードが湾曲しているため、ボードの下面側の流れが上面側の流れより早くなり、ボードを沈めようとする沈下力Ｇが発生する。その結果、ボードには浮力Ｄに対抗した沈下力Ｇの差が作用して安定した帆走が得られる。
波の高さが高くなるほど、ボードにかかる浮力Ｄも大きくなる一方、沈下力Ｇも大きくなり、安定した比較的小さな浮力Ｄで帆走でき距離を伸ばせる利点がある。これにより、ボードの先端があがり、転倒することも防止できる利点もある。
【図面の簡単な説明】
【０００９】
【図１】図１は従来のウインドサーフィンのボードの形状を示す。
【図２】図２は本考案の先端にＶ字型の切込みが形成されたボードを示す。
【図３】図３は本考案と従来の先端形状によるボードに作用する浮力の違いを論理解析図である。
【考案を実施するための形態】
【００１０】
波の高さの影響をあまり受けずに常に、安定した比較的小さな浮力で帆走することができるウインドサーフィンを提供する。
【実施例１】
【００１１】
図２は本考案の先端にＶ字型の切込みが形成されたボードを示す。ボードの先端が波に突き刺さり、波の流れを上面側と下面側に分断せしめる構造となっている。ボードは湾曲しているため上面側の水の流れより下面側の水の流れが速くなり、結果、流速差分の静圧差でボードを沈めようとする沈下力Ｇが発生する。
【００１２】
図３の上の図は従来型のボードで浮力Ｄが大きく発生し、安定性にかける状態を示している。帆が風を受けて帆受力Ｈが発生し、これにより、進行方向の波に対して帆受力Ｈに等しい抗力Ｒが発生し、同時に波乗力Ｆと比較的大きい浮力Ｄが発生する。一方、図３の下側の図は本考案のＶ字型の切込みが形成され、沈下力Ｇが発生するため、Ｆ（波乗力）は変わらないが、Ｄ（浮力）が小さくなる。このため、高い波がきてもボードが浮き上がらず、安定した帆走が可能となる構成となっている。
【産業上の利用可能性】
【００１３】
ウインドサーフィンは波の影響で危険な転倒を引き起こすため、愛好家が減少しているのが実情であるが、安全性に優れ、帆走距離も伸びることで、ウインドサーフィンの活性化に寄与したい.
【符号の説明】
【００１４】
１  サーフボード
２  帆
３  ボード先端
４  Ｖ字型切込み
【図１】
0003210719.tif 000003
【図２】
0003210719.tif 000004
【図３】
0003210719.tif 000005
(57)【要約】      （修正有）【課題】縫い目の硬い部分に直接触れることがなくなり結果的に負担を軽減する縫製を施し皮膚の損傷や血流の阻害を防ぐクッションカバーを提供する。【解決手段】クッションの角の部分が縫い目にならない様少しずらした縫製を採用し、クッションの角に縫い目が来ない様に工夫した縫製構成を用いた。【選択図】図１
0003210772.tif 000002
【実用新案登録請求の範囲】
【請求項１】
クッションの角の部分が縫い目にならない様少しずらした縫製を採用し、縫い目の硬い部分が体表に当たる事による皮膚の損傷や血流の阻害を防ぐ目的でクッションの角に縫い目が来ない様に工夫した縫製方法である。
【考案の詳細な説明】
【技術分野】
【０００１】本考案は、思いやり縫製を施した褥瘡予防クッションに関する。
【背景技術】従来は、クッションの縫い目は角にあり、使用者の体がそこに当たったり、擦ったりしたときに痛みや負担を感じていた。【０００２】負荷が集中することで結果的に、褥瘡の原因に繋がることもあった。
【考案の概要】
【考案が解決しようとする課題】
【使用者のクッション接触部との負担の軽減】
クッションの角の部分に縫い目がきていたため、使用者の体に当たったり，こすったりしたとき縫い目の硬い部分が体にあたり痛みや負担を感じていた。
【課題を解決するための手段】
【クッションと縫い目の位置をずらす】
クッションの縫い目の部分が角にならないように少しずらした縫製を実施する。
【考案の効果】
【使用者の負担の軽減】
縫い目の硬い部分に体が直接触れることがなくなり結果的に負担を軽減することになる。
【褥瘡予防効果】
接触部に長時間接触した場合、負担の大きい従来縫製では褥瘡の原因となる可能性が高かったが使用者の負担の軽減する思いやり縫製ではその可能性が減少することにつながると思われる。
【図面の簡単な説明】
【思いやり縫製の図】
【図１】
従来縫製と思いやり縫製の比較
【本案を実施する為の形態】
【褥瘡予防クッション】
以下、本案考案の実施の実体を図に基づいて説明する。
【実施例１】
【褥瘡防止クッション】
図１は、本考案の実施例１の図面であって従来の縫製位置と思いやり縫製の比較を表記している。
【産業上の利用の可能性】
本考案は思いやり縫製を施した褥瘡予防クッションを製造する産業で利用される。
【図１】
0003210772.tif 000003
【手続補正書】
【提出日】平成29年2月14日(2017.2.14)
【手続補正１】
【補正対象書類名】実用新案登録請求の範囲
【補正対象項目名】全文
【補正方法】変更
【補正の内容】
【実用新案登録請求の範囲】
【請求項１】
クッションの角の部分が縫い目にならない様少しずらした縫製を採用し、縫い目の硬い部分が体表に当たる事による皮膚の損傷や血流の阻害を防ぐ目的でクッションの角に縫い目が来ない様に工夫した縫製方法を用いたクッションカバー。